【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部の開閉を制御する為のシャッタ制御信号を出力するシャッタ制御回路とを有し、１つのフィールドには特定のカラー光源を点灯させる複数のサブフィールドを設け、該サブフィールドに対応して前記シャッタ部を制御する事により多色表示を行う表示装置において、それぞれのカラー光源の点灯開始時期を、前記シャッタ制御信号の入力開始時期より、前記シャッタ部の開から閉への応答時間にほぼ相当する時間だけ遅らせた事を特徴とする表示装置。
【請求項２】
前記表示装置は、前記光源駆動回路と前記シャッタ制御回路との同期をとる同期回路を更に備えている事を特徴とする請求項１に記載の表示装置。
【請求項３】
それぞれのカラー光源に対応するサブフィールドの光源点灯信号の時間幅と前記シャッタ制御信号の時間幅とを同じにした事を特徴とする請求項１又は請求項２に記載の表示装置。
【請求項４】
それぞれのカラー光源に対応するサブフィールドの光源点灯信号の時間幅を前記シャッタ制御信号の時間幅より短くした事を特徴とする請求項１又は請求項２に記載の表示装置。
【請求項５】
それぞれのカラー光源に対応するサブフィールドの時間幅は、少なくとも１色のサブフィールドが他色のサブフィールドと異なる事を特徴とする請求項１乃至請求項３のいずれかに記載の表示装置。
【請求項６】
前記表示装置は、更に、温度検出回路と該温度検出回路により前記光源駆動回路と前記シャッタ制御回路との位相を調整する温度補償回路とを有し、前記温度検出回路により検出した温度によって、それぞれのカラー光源の点灯開始時期をシャッタ制御信号の入力開始時期より遅らせた事を特徴とする請求項１乃至請求項５のいずれかに記載の表示装置。
【請求項７】
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部の開閉を制御する為シャッタ制御信号を出力するシャッタ制御回路とを有し、１つのフィールドには特定のカラー光源を点灯させる複数のサブフィールドを設け、該サブフィールドに対応して前記シャッタ部を制御する事により多色表示を行う表示装置において、それぞれのカラー光源の点灯期間内に、前記シャッタ部の開から閉への応答時間に相当する発光停止期間を設けた事を特徴とする表示装置。
【請求項８】
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部の開閉を制御する為シャッタ制御信号を出力するシャッタ制御回路とを有し、１つのフィールドには特定のカラー光源を点灯させる複数のサブフィールドを設け、該サブフィールドに対応して前記シャッタ部を制御する事により多色表示を行う表示装置において、それぞれのシャッタ制御信号に、前記シャッタ部の開から閉への応答時間にほぼ相当するリセット期間を設けたことを特徴とする表示装置。
【手続補正２】
【補正対象書類名】明細書
【補正対象項目名】００２７
【補正方法】変更
【補正の内容】
【００２７】
【課題を解決するための手段】
上記の目的を達成する為に本発明は、異なる波長の光を発光しそれぞれ独立に制御可能な複数のカラー光源からなる光源部と、光源部を駆動する光源駆動回路と、光源部が発光する光の透過率を制御するシャッタ部と、このシャッタ部の開閉を制御する為のシャッタ制御信号を出力するシャッタ制御回路とを有し、１つのフィールドには特定のカラー光源を点灯させる複数のサブフィールドを設け、このサブフィールドに対応してシャッタ部を制御する事により多色表示を行う表示装置であって、それぞれのカラー光源の点灯開始時期を、シャッタ制御信号の入力開始時期より、シャッタ部の開から閉への応答時間にほぼ相当する時間だけ遅らせた事を特徴とする。


【手続補正３】
【補正対象書類名】明細書
【補正対象項目名】００２８
【補正方法】変更
【補正の内容】
【００２８】
また、本発明は、それぞれのカラー光源に対応するサブフィールドの光源点灯信号の時間幅と前記シャッタ制御信号の時間幅とを同じにしたり、それぞれのカラー光源に対応するサブフィールドの光源点灯信号の時間幅を前記シャッタ制御信号の時間幅より短くしたりする事を特徴としている。
【手続補正４】
【補正対象書類名】明細書
【補正対象項目名】００２９
【補正方法】変更
【補正の内容】
【００２９】
また本発明は、それぞれのカラー光源に対応するサブフィールドの時間幅は、少なくとも１色のサブフィールドが他色のサブフィールドと異なる事を特徴とする。
【手続補正５】
【補正対象書類名】明細書
【補正対象項目名】００３０
【補正方法】変更
【補正の内容】
【００３０】
本発明の表示装置は、更に、温度検出回路と該温度検出回路により前記光源駆動回路と前記シャッタ制御回路との位相を調整する温度補償回路とを有し、前記温度検出回路により検出した温度によって、それぞれのカラー光源の点灯開始時期をシャッタ制御信号の入力開始時期より遅らせた事を特徴とする。
【手続補正６】
【補正対象書類名】明細書
【補正対象項目名】００３１
【補正方法】変更
【補正の内容】
【００３１】
また、本発明は、異なる波長の光を発光しそれぞれ独立に制御可能な複数のカラー光源からなる光源部と、この光源部を駆動する光源駆動回路と、光源部が発光する光の透過率を制御するシャッタ部と、シャッタ部の開閉制御する為シャッタ制御信号を出力するシャッタ制御回路とを有し、１つのフィールドには特定のカラー光源を点灯させる複数のサブフィールドを設け、このサブフィールドに対応してシャッタ部を制御する事により多色表示を行う表示装置であって、それぞれのカラー光源の点灯期間内に、シャッタ部の開から閉への応答時間にほぼ相当する発光停止期間を設けたこ事特徴とする。


【手続補正７】
【補正対象書類名】明細書
【補正対象項目名】００３２
【補正方法】変更
【補正の内容】
【００３２】
本発明は、異なる波長の光を発光しそれぞれ独立に制御可能な複数のカラー光源からなる光源部と、この光源部を駆動する光源駆動回路と、光源部が発光する光の透過率を制御するシャッタ部と、シャッタ部の開閉制御する為シャッタ制御信号を出力するシャッタ制御回路とを有し、１つのフィールドには特定のカラー光源を点灯させる複数のサブフィールドを設け、このサブフィールドに対応してシャッタ部を制御する事により多色表示を行う表示装置であって、それぞれのシャッタ制御信号に、シャッタ部の開から閉への応答時間にほぼ相当するリセット期間を設けた事を特徴としている。
【手続補正８】
【補正対象書類名】明細書
【補正対象項目名】００３８
【補正方法】変更
【補正の内容】
【００３８】
図６に、本実施の形態で用いるＳＴＮ液晶パネルの応答時間と駆動電圧との関係を示す。実線は、室温で、開から閉へのオン応答時間１２を示し、点線は、電圧０Ｖに戻した際の、閉から開へのオフ応答時間１３を示す。オン応答時間１２、印加電圧の影響を受け、印加電圧が２０Ｖでのオン応答時間は約０．１ｍ秒であるが、印加電圧９Ｖでのオン応答時間は約１ｍ秒と遅くなってしまう。


【手続補正９】
【補正対象書類名】明細書
【補正対象項目名】００４９
【補正方法】変更
【補正の内容】
【００４９】
単独の原色を表示する場合のデータ信号は、その色に対応したサブフィールドのみでシャッタが透過状態（開）となるような電位を取る。例えば、赤を表示する場合のデータ信号Ｄｒは赤に対応したサブフィールドｆＲでのみシャッタが透過状態となるような電位をとり、サブフィールドｆＧ、ｆＢでは、シャッタが閉状態となる電位をとる。緑を表示する場合のデータ信号Ｄｇは緑に対応したサブフィールドｆＧでのみシャッタが透過状態となるような電位をとる。青を表示する場合のデータ信号Ｄｂは青に対応したサブフィールドｆＢでのみシャッタが透過状態となるような電位をとる。


【手続補正１０】
【補正対象書類名】明細書
【補正対象項目名】０１２０
【補正方法】変更
【補正の内容】
【０１２０】
図１４に本発明の第５の実施の形態に於ける、室温での各信号の波形と液晶シャッタ２の光学応答特性を示す。液晶シャッタを交流駆動する為に２つのフィールドｆ１、ｆ２を用いた。それぞれのフィールドは３つのサブフィールドｆＲ、ｆＧ、ｆＢからなる。